(57)【要約】【課題】燃料電池発電装置の誤配線時の装置保護を目的とする【解決手段】燃料ガスと酸化剤ガスとを反応させて発電を行う燃料電池１０５と、起動、発電、終了、停止の一連の動作を制御する制御手段１０７と、ガスや水の流路を切換える弁などのアクチュエータ１１２と、商用交流１０３の電圧を検知する電圧検出手段１１４とを備え、制御手段１０７は電圧検知手段１１４で検出した電圧が所定電圧範囲外の場合には燃料電池発電装置１０１の一連の動作を停止させる。【選択図】図１
2010040306.tif 000002
【特許請求の範囲】
【請求項１】
炭化水素系原料ガスと水から水素を主成分とする燃料ガスを生成する水素生成器と、燃料ガスと酸化剤ガスとを反応させて発電を行う燃料電池と、前記燃料電池の出力直流電力を交流に変換して商用交流に連系供給するインバータと、起動、発電、終了、停止の一連の動作を制御する制御手段と、ガスや水の流路を切換える弁や前記水素生成器を昇温させるためのヒータなどのアクチュエータと、ガスや水の温度や流量を計測するセンサと、商用交流の電圧を検知する電圧検出手段とを備え、前記商用交流の電圧が所定電圧範囲外である場合には、前記制御手段が前記一連の動作を停止させる燃料電池発電装置。
【請求項２】
前記商用交流の電圧が所定電圧範囲外である場合に報知する表示手段を備えた請求項１に記載の燃料電池発電装置。
【請求項３】
前記商用交流を供給元として動作する小容量電源と大容量電源の二つの独立した電源を備え、前記小容量電源は、ＡＣ１００Ｖ未満である第一の所定電圧以上で動作し、少なくとも前記制御手段と前記電圧検知手段と前記表示手段への電源供給を行う請求項２に記載の燃料電池発電装置。
【請求項４】
前記大容量電源はＡＣ１００Ｖより大きな第二の所定電圧以上で動作し、前記アクチュエータへの電源供給を行う請求項３に記載の燃料電池発電装置。
【請求項５】
複数の異常が発生した場合には、前記商用交流の電圧が所定電圧範囲外である旨を優先的に前記表示手段に表示する請求項２〜４のいずれかに記載の燃料電池発電装置。
【請求項６】
前記商用交流の電圧が所定電圧範囲外である場合に音声で報知する音声報知手段を設けた請求項１〜５のいずれかに記載の燃料電池発電装置。
【請求項７】
前記電圧検出手段は前記インバータが電力を前記商用交流に連系供給していない時に作動する請求項１〜６のいずれかに記載の燃料電池発電装置。
【請求項８】
前記商用交流は単相３線方式である請求項１〜７のいずれかに記載の燃料電池発電装置。
【発明の詳細な説明】
【技術分野】
【０００１】
本発明は、燃料電池発電装置に係わり、詳しくは、燃料電池発電装置の誤配線時の機器保護に関するものである。
【背景技術】
【０００２】
従来、この種の燃料電池発電装置は、誤配線による機器の破損を防止するため、商用交流の電圧を監視し、所定の電圧より高い場合には商用交流を遮断するものがある（例えば特許文献１参照）。
【０００３】
図３は、特許文献１に記載された従来の燃料電池発電装置の構成を示すものである。
【０００４】
図３に示すように、燃料電池発電装置１は、家庭内に設置されている分電盤２を介して商用交流３と接続されている。また、分電盤２と燃料電池発電装置１の間には、エアコン、冷蔵庫などの家庭内負荷４が接続されている。
【０００５】
燃料電池発電装置１は、燃料ガスと酸化剤ガスとを用いて発電を行う燃料電池５と、燃料電池５の出力を直流交流変換して、商用交流３に供給するインバータ６と、燃料電池発電装置１の起動、発電、終了、停止の一連の動作を制御する制御手段７と、都市ガスなどの原料を水蒸気改質し水素を主成分とする燃料ガスを生成する改質器８と、酸化剤ガスである空気を燃料電池５に供給するための送風機９と、燃料電池５が発電する際に発生した熱を回収し、温水として蓄える貯湯槽１０で構成されている。
【０００６】
また、改質器８や、貯湯槽１０にはガスや水を、配管を通して供給／遮断するための弁や、ポンプなどの補機１１が付随して備えられている。制御手段７および補機１１の電源は、商用交流３を供給元とする作動用電源１２より供給される。また、商用交流３の電圧検出を行うＵ相系統電圧検出／遮断回路１３およびＷ相系統電圧検出／遮断回路１４が備えられている。
【０００７】
ここで、燃料電池発電装置１の設置時において、Ｗ相とＯ相の配線を逆に誤接続してしまった場合動作を説明する。
【０００８】
本来Ｕ−Ｏ間にはＡＣ１００Ｖが印加されるはずであるが、Ｗ相がＯ相と入れ替わっているため、この時にはＵ−Ｏ間にＡＣ２００Ｖが印加されることになり、つまりは、Ｕ相配線側に接続されているＵ相系統電圧検出／遮断回路１３の電圧監視用トランス１３ＢにＡＣ２００［Ｖ］が印加されることとなる。
【０００９】
そこで、制御手段７は、Ｕ相配線側に許容電圧（例えば、ＡＣ１１５［Ｖ］）以上の電圧が印加されていることを瞬時に検出し、リレー１３Ａを制御して電圧監視用トランス１３Ｂを商用交流３から電気的に切り離す。この結果、電圧監視用トランス１３Ｂの負荷が過大となることがないので、電圧監視用トランス１３Ｂが破損してしまうことがない。
【特許文献１】特開２００３−３３３７４３号公報
【発明の開示】
【発明が解決しようとする課題】
【００１０】
しかしながら、上記従来の構成では、誤接続を検出した後も電圧監視用トランス１３Ｂ，１４Ｂ以外の部分には、商用交流３が供給されつづける。そのため、商用交流３を駆動電源とする補機に対して制御を行ってしまうと、補機動作が不安定になり、燃料電池発電装置１としての装置の保護ができないという課題を有していた。
【００１１】
本発明は、上記従来の課題を解決するもので、これによって、燃料電池発電装置が商用交流と誤接続され、異常な電圧が印加された場合に、燃料電池発電装置を安定して停止させて装置の保護を可能とするものである。
【課題を解決するための手段】
【００１２】
上記従来の課題を解決するために、本発明の燃料電池発電装置は、炭化水素系原料ガスと水から水素を主成分とする燃料ガスを生成する水素生成器と、燃料ガスと酸化剤ガスとを反応させて発電を行う燃料電池と、前記燃料電池の出力直流電力を交流に変換して商用交流に連系供給するインバータと、起動、発電、終了、停止の一連の動作を制御する制御手段と、ガスや水の流路を切換える弁や前記水素生成器を昇温させるためのヒータなどのアクチュエータと、ガスや水の温度や流量を計測するセンサと、商用交流の電圧を検知する電圧検出手段とを備え、前記商用交流の電圧が所定電圧範囲外である場合には、前記制御手段が、前記一連の動作を停止させるものである。
【００１３】
これによって、燃料電池発電装置が商用交流と誤接続され、異常な電圧が印加された場合に、燃料電池発電装置を安定して停止させて装置の保護を実現することができる。
【発明の効果】
【００１４】
本発明の燃料電池発電装置は、商用交流との接続部の電圧を、電圧検出手段によって検出し、所定電圧範囲外の場合には燃料電池発電装置の一連の動作を停止させるので、商用交流と誤接続された場合にも、燃料電池発電装置を安定して停止させることができる。
【発明を実施するための最良の形態】
【００１５】
第１の発明は、炭化水素系原料ガスと水から水素を主成分とする燃料ガスを生成する水素生成器と、燃料ガスと酸化剤ガスとを反応させて発電を行う燃料電池と、燃料電池の出力直流電力を交流に変換して商用交流に連系供給するインバータと、起動、発電、終了、停止の一連の動作を制御する制御手段と、ガスや水の流路を切換える弁や前記水素生成器を昇温させるためのヒータなどのアクチュエータと、ガスや水の温度や流量を計測するセンサと、商用交流の電圧を検知する電圧検出手段とを備え、商用交流の電圧が所定電圧範囲外である場合には、制御手段が一連の動作を停止させるので、商用交流と誤接続された場合にも、燃料電池発電装置を安定して停止させて装置の保護を実現することができる。
【００１６】
第２の発明は、特に第１の発明において、商用交流の電圧が所定電圧範囲外である場合に報知する表示手段を備えたので、設置工事者に誤接続を知らせることができ、設置時のトラブル解決を容易にすることができる。
【００１７】
第３の発明は、特に、第２の発明において、商用交流を供給元として動作する小容量電源と大容量電源の二つの独立した電源を備え、小容量電源は、ＡＣ１００Ｖ未満である第一の所定電圧以上で動作し、少なくとも制御手段と電圧検知手段と表示手段への電源供給を行うので、商用電源が誤接続されてＡＣ１００Ｖが供給されている場合でも、小容量電源は電源出力できるので、制御手段と電圧検知手段と表示手段が動作可能となり、確実に誤接続を検出し、燃料電池発電装置の一連の動作を停止、設置工事者への誤接続の報知を行うことができる。
【００１８】
第４の発明は、特に第３の発明において、大容量電源はＡＣ１００Ｖより大きな第二の所定電圧以上で動作し、アクチュエータへの電源供給を行うので、商用交流が誤接続されてＡＣ１００Ｖが供給されている場合には、大容量電源は出力できないので、アクチュエータは動作不可能となり、確実に燃料電池発電装置を停止させることができる。
【００１９】
第５の発明は、特に第２〜４のいずれかの発明において、複数の異常が発生した場合には、商用交流の電圧が所定電圧範囲外である旨を優先的に表示するので、設置工事者がトラブルの原因特定を容易に行うことができる。
【００２０】
第６の発明は、特に第１〜５のいずれかの発明において、商用交流の電圧が所定電圧範囲外である場合に音声で報知する音声報知手段を設けたので、設置工事者が燃料電池発電装置から離れた所にいる場合でも、誤配線であることを容易に認識させることができる。
【００２１】
第７の発明は、特に第１〜６の発明において、電圧検出手段はインバータが電力を商用交流に連系供給していない時に作動するので、燃料電池発電装置が非発電の状態である設置直後の通電開始時に誤配線を検出することができるので、設置工事時の不具合を早期に発見することができる。
【００２２】
第８の発明は、特に第１〜７の発明において、商用交流は単相３線方式であることを特徴とした。
【００２３】
以下、本発明の実施の形態について、図面を参照しながら説明する。なお、この実施の形態によって本発明が限定されるものではない。
（実施の形態１）
図１は本発明の実施の形態１における燃料電池発電装置の構成図である。
【００２４】
図１に示すように、燃料電池発電装置１０１は、家庭内に設置されている分電盤１０２を介して商用交流１０３と接続されている。また、分電盤１０２と燃料電池発電装置１０１の間には、エアコン、冷蔵庫などの家庭内負荷１０４が接続されている。
【００２５】
ここで、商用交流１０３と燃料電池発電装置１０１は単相３線（ＵＯＷ相）で接続されており、家庭内負荷１０４は一般的に単相２線で接続されており、その接続はＵ−Ｏ間のＡＣ１００Ｖ、Ｗ−Ｏ間のＡＣ１００Ｖ、Ｕ−Ｗ間のＡＣ２００Ｖのいずれかである。
【００２６】
燃料電池発電装置１０１は、燃料ガスと酸化剤ガスとを用いて発電を行う燃料電池１０５と、燃料電池１０５の出力直流電力を交流電力に変換するインバータ１０６と、燃料電池発電装置１０１の起動、発電、終了、停止の一連の動作を制御する制御手段１０７と、都市ガスなどの原料を水蒸気改質し水素を主成分とする燃料ガスを生成する水素生成器１０８と、酸化剤ガスである空気を燃料電池１０５に供給するための送風機１０９と、燃料電池１０５が発電する際に発生した熱を回収し、温水として貯湯槽１１０に蓄える廃熱回収手段１１１で構成されている。
【００２７】
また、水素生成器１０８、送風機１０９や廃熱回収手段１１１は、ガスや水の流路を切換える弁や、水素生成器の温度を昇温させるヒータなどのアクチュエータ１１２、ガスや水の流路の温度、流量などを計測するセンサ１１３から構成されている。
【００２８】
また、電圧検出手段１１４は、商用交流１０３より燃料電池発電装置１０１に供給される商用交流１０３の電圧を計測し、制御手段１０７へ伝達する。
【００２９】
具体的には電圧検出手段１１４は商用交流１０３の電圧を抵抗（図示しない）にて分圧して制御手段１０７に伝達し、制御手段１０７内のマイコン（図示しない）のＡ／Ｄコンバータに入力してデジタルサンプリングし、そのサンプリング値をリアルタイムで実効値演算を行うことで実現している。
【００３０】
表示手段１１５は、本実施の形態では液晶とし、制御手段１０７のドライブ信号により燃料電池発電装置１０１の状態をドットマトリクスで表示する。
【００３１】
作動用電源１１６は、燃料電池発電装置１０１に入力された商用交流１０３を所定の直流電圧へと変換して制御手段１０７やアクチュエータ１１２に供給するように構成されている。
【００３２】
以上のように構成された燃料電池発電装置１０１において、以下その動作、作用を説明する。
【００３３】
燃料電池発電装置１０１の動作は、大きく起動、発電、終了、停止といった４つの制御状態に分けることができる。起動は燃料電池発電装置１０１を発電可能な状態にする工程であり、発電は燃料電池１０５より電力が出力されている状態である。終了は、発電不可能な状態にする工程であり、停止は燃料電池発電装置１０１の状態を監視しながら、次の発電指示を待っている状態である。
【００３４】
燃料電池発電装置１０１は、先に述べた４つの制御状態をあらかじめプログラムされたタイミングで遷移させながら適切に発電動作を行っている。
【００３５】
なお、ここで、プログラムされたタイミングが利用者の家庭内負荷１０４の利用状況に応じて適宜更新されるような学習機能を持っていれば、利用者が頻繁に使用する時間帯をあらかじめ予測し、その時間帯のみ発電が行われるように制御状態を遷移させるので、より効率よく発電を行うことができるので好適である。また、遷移のタイミングは利用者による操作であってもよい。
【００３６】
まず、起動について説明をする。発電出力可能となるためには、燃料ガスの生成などの準備動作が必要であり、例えば、都市ガスなどの原料から水素を主成分とした燃料ガスを生成するといった動作である。
【００３７】
具体的には、水素生成器１０８に付随して備えられた温度センサや流量センサの計測値を取込ながらヒータやファンなどのアクチュエータ１１２に対してフィードバック制御を行い、水素生成器１０８の温度を約６００〜７００度まで昇温させて都市ガスを水蒸気改質して燃料ガスを生成する。
【００３８】
起動の工程が十分に進行し、燃料ガスが安定的に生成されるようになると燃料電池１０５による発電へと移行する。燃料電池１０５は電解質膜を挟んでアノード電極とカソード電極が構成されたセルが複数積層して構成されている。
【００３９】
このアノード電極側に燃料ガスを、カソード電極側に酸化剤である空気を供給することによって、燃料電池１０７にて化学反応による発電が行われる。
【００４０】
燃料電池１０５より出力された直流電力はインバータ１０６によって交流電力に変換され、家庭内負荷１０４に供給される。また、燃料電池１０５には廃熱回収手段１１１に接続された冷却水の循環経路が構成されている。廃熱回収手段１１１に付随して備えられたポンプなどのアクチュエータ１１２を制御して化学反応時に発生する熱を熱交換によって回収し、貯湯槽１１０に温水として蓄える。
【００４１】
続いて、終了について説明する。弁を閉じて都市ガスの供給を遮断し、水素生成器１００での燃料ガス生成を停止する。
【００４２】
そして水素生成器１０８に備えられたファンを駆動し、都市ガスの改質が行われない温度まで水素生成器１０８を冷却する。また、燃料電池発電装置１０１の劣化を防止するために、燃料電池１０５、水素生成器１０８やガス経路等を不活性ガスでパージする。
【００４３】
終了の工程が十分に行われ、燃料電池発電装置１０１が安定的に発電不可能な状態で保たれると、アクチュエータ１１２の動作を停止して、次回の発電タイミングに備える。また、この停止中もガス漏れ検知センサ等で燃料電池発電装置１０１の安全状態を監視し、異常が発生した場合にはユーザーへの報知を行うなど所定の異常処理を行う。
【００４４】
また、発電を除く、起動、終了、停止の３つの状態では、燃料電池発電装置１０１から交流電力は出力されないので、家庭内負荷１０４の電力は商用交流１０３から供給されて動作することになる。
【００４５】
以上のような動作をする燃料電池発電装置１０１について、設置直後の詳細の動作、作用を説明する。
【００４６】
燃料電池発電装置１０１が設置されると、分電盤１０２を介して商用交流１０３が燃料電池発電装置１０１の作動用電源１１６へ入力される。すると制御手段１０７に電源が供給され、先に述べた４つの状態に応じて燃料電池発電装置１０１の動作が開始する。
【００４７】
ここで、Ｗ相とＯ相の配線を誤接続した場合について説明する。本来、Ｕ−Ｗ間にはＡＣ２００Ｖが、Ｕ−Ｏ間およびＷ−Ｏ間にはＡＣ１００Ｖが印加されるはずである。しかし、Ｗ相とＯ相が入れ替わっている場合には、Ｕ−Ｗ間にＡＣ１００Ｖが、Ｕ−Ｏ間にはＡＣ２００Ｖが誤って印加されることになる。
【００４８】
まず、電圧検出手段１１４にて、商用交流１０３の電圧が抵抗分圧された電気信号として制御手段１０７に伝達される。ここで、制御手段１０７にはＵ−Ｗ間のＡＣ２００Ｖの所定電圧範囲として、例えばＡＣ１９０Ｖ〜ＡＣ２１０Ｖという範囲が記憶されている。
【００４９】
制御手段１０７は伝達されたＡＣ１００Ｖが所定電圧範囲ＡＣ１９０Ｖ〜ＡＣ２１０Ｖの範囲外であることから、燃料電池発電装置１０１と商用交流１０３が誤接続されていることを認識する。そして、制御手段１０７がアクチュエータ１１２を停止させる。また、制御手段１０７は表示手段１１５に所定のエラー番号を表示させる。
【００５０】
Ｕ相とＯ相の配線を誤接続した場合については、上記のＷ相とＵ相を読み替えることによって説明される。
【００５１】
以上のように、本実施の形態においては、電圧検出手段１１４と制御手段１０７によって商用交流１０３と誤接続されていることを検出し、燃料電池発電装置１０１を安定的に停止させて装置の保護を実現することができる。また、表示手段１１５にエラー表示を行うので、設置工事者に誤配線であることを報知することができる。
【００５２】
また、音声報知手段を備え、誤配線検出時には音声による報知を行う用に構成すると、さらに好適である。設置直後の通電時には設置工事者は屋内の専用ブレーカーを利用して通電開始することもあり、すぐに燃料電池発電装置１０１の表示手段１１５を確認できるとは限らない。そのような場合にも音声での報知があると誤配線であることを容易に認識することができる。
【００５３】
なお、本実施の形態では誤配線を検出するための所定電圧範囲をＵ−Ｗ間にて設定したが、Ｕ−Ｏ間とＷ−Ｏ間の両方に設定しても同様に検出可能である。
【００５４】
なお、本実施の形態では、商用交流１０３と燃料電池発電装置１０１の接続を単相３線（ＵＯＷ相）としたが、単相２線（ＵＷ相）の場合でも、設置工事者が屋内の分電盤１０２から分岐する際にＵ相とＯ相、もしくはＷ相とＯ相を間違えることは容易に考えられるので、上述のような誤配線検出後の一連の動作が有効であることは明らかである。
（実施の形態２）
図２は本発明の実施の形態２における燃料電池発電装置の構成図である。実施の形態１と同一構成のものについては同一符号を付し、説明を省略する。実施の形態１と異なる点は、作動用電源１１６を、小容量電源１１７と大容量電源１１８の独立した２つの電源で構成した点である。
【００５５】
まず、小容量電源１１７は、入力された商用交流１０３のＵ−Ｗ間ＡＣ２００Ｖを所定の直流電圧へと変換して出力するように構成されている。ここで、小容量電源１１７は広入力電圧範囲に対応するため、フライバック方式のスイッチング電源やＰＦＣ（力率補正）回路を組み合わせたスイッチング電源で構成するのが好適である。
【００５６】
また、小容量電源１１７は制御手段１０７と表示手段１１５と、燃料電池発電装置１０１の状態監視を行うためのガス漏れ検知センサなどの数種類のセンサと電圧検出手段１１４を動作させるために必要な電源であり、比較的小さな電源容量で構成するのが好適である。具体的には、本実施の形態では、電源容量は１０Ｗ、出力電圧ＤＣ１２Ｖ、入力電圧範囲ＡＣ８０Ｖ〜ＡＣ２２０ＶのＡＣ／ＤＣコンバータで構成している。
【００５７】
続いて大容量電源１１８の構成について説明する。小容量電源１１７と同様に入力された商用交流１０３を所定の直流電圧へと変換して出力するように構成している。
【００５８】
ここで、大容量電源１１８は燃料電池発電装置１０１内のアクチュエータ１１２やセンサ１１３の駆動電源であり、先の小容量電源１１７に比べ大きな電力供給が必要である。また、アクチュエータ１１２、センサ１１３の電源電圧としてはＤＣ１２Ｖ、ＤＣ２４Ｖといった電圧が一般的である。
【００５９】
そこで、本実施の形態では、電源容量１００Ｗ、出力電圧ＤＣ２４Ｖ、入力電圧範囲ＡＣ１８０Ｖ〜ＡＣ２２０Ｖの電源とする。
【００６０】
燃料電池発電装置１０１としての動作は実施の形態１と同一であり、異なるのは作動用電源１１６に関する動作である。以下に、設置直後の詳細の動作、作用について相違点を中心に説明する。
【００６１】
燃料電池発電装置１０１が設置されると、分電盤１０２を介して商用交流１０３が燃料電池発電装置１０１の作動用電源１１６へ入力される。
【００６２】
小容量電源１１７は入力された商用交流１０３のＵ−Ｗ間ＡＣ２００ＶをＤＣ１２Ｖへ変換して出力する。ＤＣ１２Ｖが供給されると制御手段１０７が動作を開始し、先に述べた４つの状態に応じてアクチュエータ１１２の制御をする。
【００６３】
また、このとき大容量電源１１８も商用交流１０３のＵ−Ｗ間ＡＣ２００ＶをＤＣ２４Ｖへ変換して出力するので、アクチュエータ１１２には駆動電力の供給が行われ動作を開始する。
【００６４】
ここで、Ｗ相とＯ相の配線を誤接続した場合について説明する。本来、Ｕ−Ｗ間にはＡＣ２００Ｖが印加されるはずであるが、Ｗ相がＯ相と入れ替わっているため、この時にはＵ−Ｗ間にＡＣ１００Ｖが印加される。
【００６５】
つまり、小容量電源１１７にＡＣ１００Ｖが入力される。しかしながら、小容量電源１１７は入力電圧がＡＣ８０Ｖ以上で動作可能な電源として構成しているので、商用交流１０３をＤＣ１２Ｖへ変換して出力可能である。そのため、制御手段１０７と電圧検出手段１１４は電源供給を受けて、正常に動作可能となる。
【００６６】
まず、電圧検出手段１１４にて、商用交流１０３の電圧が抵抗分圧された電気信号として制御手段１０７に伝達される。ここで、制御手段１０７にはＵ−Ｗ間のＡＣ２００Ｖに対して、例えばＡＣ１９０Ｖ〜ＡＣ２１０Ｖという範囲が記憶されている。
【００６７】
制御手段１０７は伝達されたＡＣ１００Ｖが所定電圧範囲ＡＣ１９０Ｖ〜ＡＣ２１０Ｖの範囲外であることから、燃料電池発電装置１０１と商用交流１０３が誤接続されていることを認識する。そして、制御手段１０７がアクチュエータ１１２を停止させ、表示手段１１５に所定のエラー番号を表示させる。
【００６８】
またこの時、大容量電源１１８は入力された商用交流１０３のＵ−Ｗ間ＡＣ１００Ｖが入力電圧範囲ＡＣ１８０Ｖ〜ＡＣ２２０Ｖの範囲外であるために動作せず、駆動用の電源は供給されない。
【００６９】
以上のように、本実施の形態においては、小容量電源１１７がＡＣ１００Ｖ未満から動作するので、ＵＯＷ相の誤接続が発生した場合でも正常に電圧検出手段１１４、制御手段１０７が動作可能となり、商用交流１０３と誤接続されていることを確実に検出して燃料電池発電装置１０１を安定的に停止させて装置の保護を実現することができる。
【００７０】
また、大容量電源１１８がアクチュエータ１１２への電源供給をできないので、制御手段１０７が万が一制御不能となった場合でもアクチュエータ１１２を動作させないようにすることができる。
【００７１】
また、誤配線が行われた状態では、設置直後より駆動電源が供給されないのでアクチュエータ１１２は制御手段１０７の動作指令が行われているにも関わらず停止していることも想定される。
【００７２】
そのため、誤配線検出が確定するまでに、その他のセンサによるエラーが確定してしまい、表示手段１１５に誤配線以外のエラーが表示されてしまう可能性がある。そこで、複数のエラーが同時に発生している場合には、優先的に誤配線のエラー表示を行うようにするのが好適である。
【００７３】
それにより、誤配線の影響で２次的に発生しているエラーに惑わされることなく、トラブルの真の原因である誤配線のエラーを設置工事者に確実に認識させることができる。
【産業上の利用可能性】
【００７４】
以上のように、本発明にかかる燃料電池発電装置は、商用交流との誤接続が発生した場合に、アクチュエータの動作を確実に停止させ、燃料電池発電装置を安定的に停止させると同時に、設置工事者に対して誤配線である旨を認識させるので、誤配線時の装置の保護や設置工事トラブルの原因究明を容易することができるので、設置工事者による電源工事が必要なエンジン発電装置や太陽光発電装置および電気温水器などの家庭用設置型装置全般において設置工事時の作業性向上にも適用することができる。
【図面の簡単な説明】
【００７５】
【図１】本発明の実施の形態１における燃料電池発電装置の構成図
【図２】本発明の実施の形態２における燃料電池発電装置の構成図
【図３】従来の燃料電池発電装置の構成図
【符号の説明】
【００７６】
１０１    燃料電池発電装置
１０３    商用交流
１０５    燃料電池
１０６    インバータ
１０７    制御手段
１０８    水素生成器
１１２    アクチュエータ
１１３    センサ
１１４    電圧検出手段
１１５    表示手段
１１６    作動用電源
１１７    小容量電源
１１８    大容量電源
【図１】
2010040306.tif 000003
【図２】
2010040306.tif 000004
【図３】
2010040306.tif 000005